(57)【特許請求の範囲】
【請求項１】
ガイドレールに備え、扉のロック部材をロックして扉を閉成状態に保持するスライド扉の自動ロック装置において、
傾斜部を設けてケース本体の開孔から突出させるようにした第１腕と、ケース本体内面に係合させる第２腕とを軸支部から２方向に延設させた回転プレートと、
前記回転プレートに軸支部を中心とする一方向の回転勢力を与え、
前記第１腕を開孔から突出させ、前記第２腕をケース本体内面に圧接させるように回転プレートを回転させるばね部材と、
ケース本体に摺動自在に設けると共に、前記回転プレートの軸支部を回転自在に軸着し、さらに、ばね部材でケース本体の前記開孔側に進出勢力を与えるスライド部材と、
前記スライド部材を進出位置で係止保持してロック動作モード、その係止保持を解除してアンロック動作モードとするロック・アンロック切換機構とを備え、
前記のロック動作モードでは、前記第１腕が扉のロック部材のロック方向の移動に伴って押し回された後、ばね部材の回転勢力で復動する回転プレートの回転を軸支部を中心とした回転動作のみで行なわせ、
前記のアンロック動作モードでは、前記第１腕が扉のロック部材のアンロック方向の移動に伴って押動されることにより、前記第２腕がケース本体内面と係合した先端部を支点とし、かつ、軸支部となっているスライド部材を後退動させながら回転プレートを旋回させる構成としたことを特徴とするスライド扉の自動ロック装置。
【発明の詳細な説明】
【０００１】
【発明の属する技術分野】
この発明は、住宅等に設けられる引戸、シャッタなどのスライド扉に係るロック装置に関し、特に、スライド扉を閉成位置で自動ロックすることができるスライド扉の自動ロック装置に関する。
【０００２】
【従来の技術】
スライド扉の自動ロック装置としては様々なものが提案されているが、スライド扉の一種であるシャッタの自動ロック装置について説明する。
【０００３】
特開平１０−１４０８９６号公報により開示されているシャッタの自動ロック装置（第１従来例）は、図１０に示した如く、ロックプレ−ト１１とスライダ−プレ−ト１２とがケ−ス本体１３に摺動自在に設けられている。
【０００４】
ケ−ス本体１３はシャッタのガイドレ−ルに設けられ、また、ロックプレ−ト１１とスライダ−プレ−ト１２は先端側に傾斜部を形成し、シャッタのロックバ−の通路に突出するようにばねによる突出勢力が与えられている。
【０００５】
また、ロックプレ−ト１１とスライダ−プレ−ト１２との後方上部には凹形部１１ａ、１２ａが各々形成されており、これら凹形部１１ａ、１２ａにシャフト１４が突入自在となっている。
【０００６】
シャフト１４はソレノイド１５のプランジャ１６に連結した連動板１７に横向きに設けられ、ソレノイド１５が無給電のときには、ばね１８のばね力で下降勢力が与えられている。
【０００７】
上記した自動ロック装置は、シャッタを閉じると、シャッタに固定されたロックバ−１９が下降するため、図１１に示すように、ロックバ−１９によって押動されるロックプレ−ト１１が後退動する。
この場合、ソレノイド１５が無給電となっているから、シャフト１４がロックプレ−ト１１の上縁に当接するようになる。
【０００８】
ロックバ−１９が引き続き下降することでスライダ−プレ−ト１２が押動されて後退動すると共に、ロックバ−１９がロックプレ−ト１１の先端部を通過することにより、このロックプレ−ト１１がばね勢力で進出するため、図１２に示す如く、凹形部１１ａ、１２ａにシャフト１４が突入する。
【０００９】
これより、ロックプレ−ト１１の後退動がシャフト１４によって阻止されることから、ロックバ−１９によってロックバ−１９の上昇移動が停止され、シャッタが閉成位置でロックされる。
【００１０】
シャッタのロックを解除するときは、ソレノイド１５を給電する。
これより、プランジャ１６が吸引されるため、シャフト１４が上昇し、図１３に示すように、凹形部１１ａ、１２ａより脱出し、ロックプレ−ト１１の後退動が可能になり、ロックが解除される。
【００１１】
したがって、ロックバ−１９の上昇によって押動されたロックプレ−ト１１が後退動することから、シャッタを開放させることができる。
【００１２】
実公平６−３１００号公報により開示されているシャッタの自動ロック装置（第２従来例）は、図１４に示した如く、ストッパ−体２１がケ−ス本体２２に旋回自在に設けられている。
【００１３】
ケ−ス本体２２はシャッタのガイドレ−ルに設けられ、また、ストッパ−体２１にはシャッタに固定されたロックバ−３０の通路に突出するようにトグルばね２３が設けられている。
【００１４】
支軸２４はストッパ−体２１のガイド孔２１ａを貫通してケ−ス本体２２に固着され、また、支軸２５はストッパ−体２１に固着し、その端部をケ−ス本体２２のガイド凹溝２２ａに突入させてある。
【００１５】
係止板２６はソレノイド２７のプランジャ２８に固着され、ソレノイド２７の無給電時にはスプリング２９のばね力で下降し、ストッパ−体２１の右旋回を阻止するようになっている。
【００１６】
このように構成された自動ロック装置は、シャッタを閉めることにより、そのロックバ−３０がストッパ−体２１を押動するため、図１５に示した如く、ストッパ−体２１の支軸２５を中心に左旋回し、ロックバ−３０を通過させる。
【００１７】
ロックバ−３０がストッパ−体２１を通過すると、ストッパ−体２１がばね勢力で復動旋回し、図１６に示した如く、ロックバ−３０の上昇移動を阻止する。
【００１８】
このようにシャッタを閉めるときにはソレノイド２７が無給電となっており、係止板２６が下降している。
したがって、ストッパ−体２１の右旋回が係止板２６によって阻止され、シャッタのロック状態となる。
【００１９】
ロックを解除する場合はソレノイド２７を給電する。
これより、プランジャ２８が吸引されるため、係止板２６が上昇し、ストッパ−体２１の右旋回を可能とする。
【００２０】
これより、ロックバ−３０の上昇移動によって押動されたストッパ−体２１が図１７に示すように右旋回する。
なお、この場合、ストッパ−体２１は、支軸２４を中心として旋回すると共に、支軸２５がガイド凹溝２２ａを進むため、ケ−ス本体内に向かって旋回する。
【００２１】
【発明が解決しようとする課題】
従来例１の自動ロック装置は、ロックバ−１９がロックプレ−ト１１の傾斜部を滑動することにより、ロックプレ−ト１１を横方向に後退動させる構成であるため、ロックプレ−ト１１の摺動抵抗が大きく、必ずしも動作性のよいロック装置ではなかった。
【００２２】
従来例２の自動ロック装置は、ストッパ−体２１を２軸（支軸２４、２５）によって旋回させる構成であるため、小形化が難しく、また、ケ−ス本体２２とシャッタとの距離を所定以上に大きくする場合にはストッパ−体２１を大きくしなければならず、この結果、装置形態が大形化しレイアウト設計の自由度が少ない。
【００２３】
本発明は上記した実情にかんがみ、装置形態の小形化に適し、かつ、構成簡単にして動作性を向上させることができるスライド扉の自動ロック装置を提案することを目的とする。
【００２４】
【課題を解決するための手段】
上記した目的を達成するため、本発明では、  ガイドレールに備え、扉のロック部材をロックして扉を閉成状態に保持するスライド扉の自動ロック装置において、傾斜部を設けてケース本体の開孔から突出させるようにした第１腕と、ケース本体内面に係合させる第２腕とを軸支部から２方向に延設させた回転プレートと、前記回転プレートに軸支部を中心とする一方向の回転勢力を与え、前記第１腕を開孔から突出させ、前記第２腕をケース本体内面に圧接させるように回転プレートを回転させるばね部材と、ケース本体に摺動自在に設けると共に、前記回転プレートの軸支部を回転自在に軸着し、さらに、ばね部材でケース本体の前記開孔側に進出勢力を与えるスライド部材と、前記スライド部材を進出位置で係止保持してロック動作モード、その係止保持を解除してアンロック動作モードとするロック・アンロック切換機構とを備え、前記のロック動作モードでは、前記第１腕が扉のロック部材のロック方向の移動に伴って押し回された後、ばね部材の回転勢力で復動する回転プレートの回転を軸支部を中心とした回転動作のみで行なわせ、前記のアンロック動作モードでは、前記第１腕が扉のロック部材のアンロック方向の移動に伴って押動されることにより、前記第２腕がケース本体内面と係合した先端部を支点とし、かつ、軸支部となっているスライド部材を後退動させながら回転プレートを旋回させる構成としたことを特徴とするスライド扉の自動ロック装置。
【００２５】
この自動ロック装置は、ロック・アンロック切換機構をロック動作させることにより、ロック動作モ−ドとなる。
すなわち、ロック動作モ−ドでは、スライド部材が進出位置に係止保持され、また、回転プレ−トが一方向回転のばね勢力を受け、その第２腕がケ−ス本体内面に係合し、第１腕がケ−ス本体の開孔から突出した状態となる。
【００２６】
このロック動作モ−ドで扉を閉めると、扉のロック部材が回転プレ−トの第１腕をばね勢力に抗して押し回しながら移動するため、第１腕が回転プレ−トの回転にしたがい上記開孔内に向かって旋回し、ロック部材がこの第１腕を通過しロック位置に移動する。
【００２７】
ロック部材が上記第１腕を通過すると、回転プレ−トがばね勢力で一方向に回転し、上記したロック動作位置に戻り、回転プレ−トの第２腕がケ−ス本体内面に係合し、この回転プレ−トの一方向回転が禁止され、また、その第１腕がケ−ス本体の開孔から突出する。
【００２８】
したがって、ロック部材がロック位置から突出した上記第１腕に係止され、ロック位置から離れる方向に移動しない。これより扉が閉成状態でロックされる。
【００２９】
ロック・アンロック切換機構をアンロック動作に切換えると、アンロック動作モ−ドとなる。
アンロック動作モ−ドでは、スライド部材の係止保持が解除されることから、回転プレ−トの軸支部がスライド部材の後退動にしたがって許容されるようになる。
【００３０】
このアンロック動作モ−ドにおいて扉を開操作すると、ロック部材がロック位置から離れる方向に移動して回転プレ−トの第１腕を上記とは反対向きに押し回すため、回転プレ−トが一方向の回転勢力を受ける。
【００３１】
回転プレ−トは第２腕がケ−ス本体内面に係合して一方向回転が禁止される状態となっているため、ロック部材によって上記のような一方向回転勢力を受けることにより、この回転プレ−トの軸支部に移動力が作用する。
【００３２】
したがって、スライド部材が回転プレ−トの軸支部に作用する移動力を受けて後退動することから、回転プレ−トの軸支部がスライド部材と共に後退動し、第１腕がケ−ス本体の開孔内に向かって移動し、ロック部材の通過を許し、扉の開放を可能にする。
【００３３】
扉を開放しロック部材が上記第１腕を通過した後は、スライド部材がばね勢力で進出位置に戻るため、回転プレ−トもアンロック動作モ−ドとなる。
【００３７】
【発明の実施の形態】
次に、本発明をシャッタの自動ロック装置として実施した一実施形態について図面に沿って説明する。
図１はロック装置の正面図、図２は同ロック装置の右側面図、図３は裏側のケ−ス本体を取外し、上記ロック装置の内部を示した部分的な拡大裏面図、図４は回転プレ−トを示す上記ロック装置の部分的な拡大断面図、図５はスライドプレ−トを示す上記ロック装置の部分的な拡大断面図である。
【００３８】
これらの図面において、５０は前ケース５０ａと後ケース５０ｂら
なるケース本体で、その内部には収納部が形成してあり、この収納部の上方には、前ケース５０ａに固着したソレノイド５１を設けると共に、このソレノイド５１に備えたプランジャ５２の下端部には連動板５３ａと、この連動板５３ａを挟持するようにして設けた従動板５３ｂとからなる連動部材５３を連結してある。
【００３９】
そして、上記ソレノイド５１の下端と連動板５３ａの上端との間に係架したコイルスプリング５４によって上記連動部材５３をプランジャ５２と共に常時下方に向かって付勢してあり、また、連動部材５３の従動板５３ｂには、その下端部にシャフト５５を横向きに固定してある。
【００４０】
上記したソレノイド５１、プランジャ５２、連動部材５３、スプリング５４、シャフト５５がロック・アンロック切換機構を構成している。
【００４１】
ケ−ス本体５０の収納部の下方には、回転プレ−ト５６とスライドプレ−ト（スライド部材）５７とが収納してある。
この回転プレ−ト５６は図４に示す通り、軸支部５８から２方向に第１腕５６ａと第２腕５６ｂとを延設させた２腕レバ−として形成してある。
【００４２】
そして、第１腕５６ａと第２腕５６ｂとはほぼ直角方向に延設してあるが、第１腕５６ａについては傾斜部５６ｃ、５６ｄを形成して山形状とし、第２腕５６ｂについては平面形成した圧接面５６ｅが設けてある。
【００４３】
上記の回転プレ−ト５６は、その軸支部５８をスライドプレ−ト５７の一方側部に回転自在に軸着してあり、また、この回転プレ−ト５６は第２腕５６ｂと後ケ−ス５０ｂの間に係架したコイルスプリング５９によって常時一方向（図４において反時計方向）の回動勢力が与えてある。
なお、上記第２腕５６ｂとコイルスプリング５９との嵌合にボ−ル６０を設け、ばね力が回転プレ−ト５６にスム−ズに伝達されるようになっている。
【００４４】
つまり、回転プレ−ト５６は、コイルスプリング５９のばね力を受け、通常時には第２腕５６ｂの圧接面５６ｅが前ケ−ス５０ａの内面部に圧接し、第１腕５６ａが前ケ−ス５０ａの開孔６１より突出した状態となっている。
【００４５】
また、スライドプレ−ト５７は図５に示したように、横方向に移動するように前ケ−ス５０ａに摺動自在に設けてある。
このスライドプレ−ト５７にはコイルスプリング６２を挿入する長溝５７ａを形成すると共に、後端上部に切欠き形成した係合凹部５７ｂが設けてある。
【００４６】
さらに、コイルスプリング６２は長溝５７ａの端部と後ケ−ス５０ｂとの間に係架してスライドプレ−ト５７に常時進出勢力を与えるようにしてある。
【００４７】
なお、このスライドプレ−ト５７には、長溝５７ａの前側に隆起部５７ｃを形成し、この隆起部５７ｃがケ−ス本体に形成したガイド溝（図示省略）を摺動するようにしてあり、隆起部５７ｃがそのガイド溝の溝端に当接することにより、スライドプレ−ト５７の抜け出しが防止される。
【００４８】
さらに、上記した回転プレ−ト５６の軸支部５８はロ−ラ６３を介在させてスライドプレ−ト５７に軸着してある。
つまり、回転プレ−ト５６の軸着部となるスライドプレ−ト５７と回転プレ−ト５６との間には図６に示したようにロ−ラ６３を設け、このロ−ラ６３がケ−ス本体内の水平ガイド面６４を転がるようにして、スライドプレ−ト５７の摺動を円滑にする構成としてある。
【００４９】
また、スライドプレ−ト５７は図３から分かるように、２つの従動板５３ｂの板間に位置し、通常時（ソレノイド無給電時）にはその係合凹部５７ｂにシャフト５５が係合し、図５に示す如く、スライドプレ−ト５７の後退動が禁止されている。
【００５０】
その他、図中の符号６５はソレノイド５１に接続した電源コ−ドである。
また、上記したロック装置は、シャッタを開閉自在にガイドするガイドレ−ルの下部に取付ける。
【００５１】
次に、上記したロック装置の動作について説明する。
図７〜図９はロック装置の動作説明図であり、これらの図に示す符号７０はシャッタの下部に固定して設けられ、シャッタ開閉と共に上下方向に移動するロックバ−（ロック部材）である。
【００５２】
ソレノイド５１の無給電時には、図４、図５に示すように、ロック動作モ−ドの動作状態となっている。
この動作モ−ドでは、プランジャ５２が下降しているため、シャフト５５がばね勢力で進出しているスライドプレ−ト５７の係合凹部５７ｂに係合し、スライドプレ−ト５７の進出位置を係止保持している。
【００５３】
また、回転プレ−ト５６がコイルスプリング５９のばね力で一方向に回転し、その第２腕５６ｂの圧接面５６ｅがケ−ス本体内面に圧接した状態で静止している。
したがって、第１腕５６ａがケ−ス本体の開孔６１から突出している。
【００５４】
シャッタの閉成動作にしたがってロックバー７０が下降すると、ロックバー７０が回転プレート５６の第１腕５６ａに突き当って傾斜部５６ｃを滑動するため、図７に示すように、ロックバー７０によって第１腕５６ａが押し回され、この結果、回転プレート５６が軸支部５８を支点に時計方向に回転する。
【００５５】
回転プレ−ト５６がこのように回転することにより、ロックバ−７０がさらに下降しロック位置に移動する。
ロックバ−７０が回転プレ−ト５６の第１腕５６ａを通過することにより、回転プレ−ト５６がコイルスプリング５９のばね力で反時計方向に戻り回転し、図８に示すようにロック状態となる。
【００５６】
このロック状態では、回転プレ−ト５６の圧接面５６ｅがケ−ス本体内面に圧接し、また、スライドプレ−ト５７が進出位置で係止保持されていることから、回転プレ−ト５６が反時計方向には回転しないため、ロックバ−７０の上昇移動が第１腕５６ａによって確実に阻止され、シャッタが閉成位置にロックされる。
【００５７】
シャッタの上記ロックを解除する場合にはソレノイド５１を給電してアンロック動作モ−ドとする。
ソレノイド５１の給電によってプランジャ５２が吸引され上昇することから、シャフト５５がスライドプレ−ト５７の係合凹部５７ｂより脱出し、スライドプレ−ト５７の後退動を許容する。
【００５８】
したがって、シャッタの開放動作にしたがってロックバ−７０が上昇すると、ロックバ−７０が回転プレ−ト５６の第１腕５６ａを押し回しながら傾斜部５６ｄを滑動するため、回転プレ−ト５６が図９に示すように回転しながら移動する。
【００５９】
すなわち、回転プレ−ト５６が第１腕５６ａに加わる押し回し力で、その第２腕５６ｂの先端部を支点に旋回するため、第１腕５６ａがケ−ス本体内に向かって後退し、ロックバ−７０が第１腕５６ａを通過して上昇移動する。
【００６０】
この場合、回転プレ−ト５６の軸支部５８がスライドプレ−ト５７を後退動させながら移動する。
このように、第１腕５６ａによるロックバ−７０の上昇阻止が解かれ、シャッタの閉成ロックが解除される。
【００６１】
ロックバ−７０が上昇して第１腕５６ａを通過すると、回転プレ−ト５６とスライドプレ−ト５７がばね力で復動し、図４、図５に示す位置に戻り、また、ソレノイド５１の給電を停止することにより、シャフト５５が下方に移動してスライドプレ−ト５７の係合凹部５７ｂに係合し、ロック動作モ−ドとなる。
【００６２】
以上、シャッタの自動ロック装置について説明したが、引戸などのスライド扉の自動ロック装置としても同様に実施することができる。
【００６３】
【発明の効果】
上記した通り、本発明に係る自動ロック装置は、軸支部をスライド部材に軸着した一軸構成の回転プレ−トを備えたことから、装置形態の小形化に適する。
【００６４】
また、軸支部をスライド部材に軸着した回転プレ−トは、スライド部材を変えることにより、扉のロック部材との係止位置を調節することができるから、ロック装置と扉との間の距離が大きい場合でも大形化せず、組込みに便利な自動ロック装置となる。
【００６５】
さらに、回転プレ−トを軸着する一つのスライド部材を備え、摺動部を可能なるかぎり少なくしたことから、動作性を向上させた構成簡単な自動ロック装置となる。
【図面の簡単な説明】
【図１】本発明をシャッタのロック装置として実施した自動ロック装置を示す正面図である。
【図２】上記自動ロック装置の右側面図である。
【図３】裏側のケ−ス本体を取外し、上記自動ロック装置の内部を示した部分的な拡大裏面図である。
【図４】回転プレ−トを示す上記自動ロック装置の部分的な拡大断面図である。
【図５】スライドプレ−トを示す上記自動ロック装置の部分的な拡大断面図である。
【図６】回転プレ−トの軸支部に設けたロ−ラを示す上記自動ロ−ラ装置の部分的な拡大断面図である。
【図７】シャッタのロックバ−をロックする動作過程を示した上記自動ロック装置の動作説明図である。
【図８】ロック状態を示す図７同様の動作説明図である。
【図９】ロック解除過程を示す図７同様の動作説明図である。
【図１０】第１従来例として示した自動ロック装置の部分的な拡大断面図である。
【図１１】第１従来例として示した自動ロック装置のロック動作過程を示す動作説明図である。
【図１２】ロック状態を示す図１１同様の動作説明図である。
【図１３】ロック解除過程を示す図１１同様の動作説明図である。
【図１４】第２従来例として示した自動ロック装置の部分的な拡大断面図である。
【図１５】第２従来例として示した自動ロック装置のロック動作過程を示す動作説明図である。
【図１６】ロック状態を示す図１５同様の動作説明図である。
【図１７】ロック解除過程を示す図１５同様の動作説明図である。
【符号の説明】
５０  ケ−ス本体
５１  ソレノイド
５２  プランジャ
５３  連動部材
５５  シャフト
５６  回転プレ−ト
５６ａ  第１腕
５６ｂ  第２腕
５６ｅ  圧接面
５７  スライドプレ−ト
５７ｂ  係合凹部
５８  軸支部
６０  ボ−ル
６３  ロ−ラ
７０  ロックバ−
【図１】
0003956189.tif 000002
【図２】
0003956189.tif 000003
【図３】
0003956189.tif 000004
【図４】
0003956189.tif 000005
【図５】
0003956189.tif 000006
【図６】
0003956189.tif 000007
【図７】
0003956189.tif 000008
【図８】
0003956189.tif 000009
【図９】
0003956189.tif 000010
【図１０】
0003956189.tif 000011
【図１１】
0003956189.tif 000012
【図１２】
0003956189.tif 000013
【図１３】
0003956189.tif 000014
【図１４】
0003956189.tif 000015
【図１５】
0003956189.tif 000016
【図１６】
0003956189.tif 000017
【図１７】
0003956189.tif 000018